(57)【特許請求の範囲】
【請求項１】
電子マネーの送金プログラムであって、
電子端末のタッチパネルに重畳して配置された表示部に表示された送金開始部をユーザが指でタッチすることにより、所定の財産価値に対応した電子マネーを表す複数の送金対象アイコンを前記表示部に表示するステップと、
タッチした指を前記表示部から離さず一の送金対象アイコンまでスライドすることにより当該送金対象アイコンを選択するステップと、
選択された前記送金対象アイコンから指を離すことにより、当該送金対象アイコンに対応した電子マネーを送金処理するステップと、
をコンピュータに実行させる電子マネーの送金プログラム。
【請求項２】
請求項１に記載の電子マネーの送金プログラムであって、
前記送金対象アイコンは、法定通貨を模したデザインを有する、
電子マネーの送金プログラム。
【請求項３】
電子マネーの送金方法であって、
電子端末のタッチパネルに重畳して配置された表示部に表示された送金開始部をユーザが指でタッチすることにより、所定の財産価値に対応した電子マネーを表す複数の送金対象アイコンを前記表示部に表示するステップと、
タッチした指を前記表示部から離さず一の送金対象アイコンまでスライドすることにより当該送金対象アイコンを選択するステップと、
選択された前記送金対象アイコンから指を離すことにより、当該送金対象アイコンに対応した電子マネーを送金処理するステップと、
を前記電子端末のコンピュータが実行する電子マネーの送金方法。 
【請求項４】
電子マネーの送金処理を可能な電子端末であって、
制御部と、
所定の財産価値に対応した電子マネーを表す送金対象アイコンを表示する表示部と、
前記表示部に重畳して配置されたタッチパネルと、
を備え、
前記制御部は、
前記表示部に表示された送金開始部をユーザが指でタッチすることにより、複数の送金 対象アイコンを前記表示部に表示するステップと、
タッチした指を前記表示部から離さず一の送金対象アイコンまでスライドすることにより当該送金対象アイコンを選択するステップと、
選択された前記送金対象アイコンから指を離すことにより、当該送金対象アイコンに対応した電子マネーを送金処理するステップと、
を実行する電子端末。
【発明の詳細な説明】
【技術分野】
【０００１】
本発明は、電子マネーの送金プログラム、電子マネーの送金方法及び電子端末に関する。
【背景技術】
【０００２】
近年、現金の代替手段として電子マネーが普及しつつある。電子マネーは通貨に相当する電子データであり、電子データをチャージしたカードを利用するタイプのものや、携帯電話等の電子端末を利用するタイプのもの等、様々な種類のものが普及しつつある（例えば特許文献１）。
【先行技術文献】
【特許文献】
【０００３】
【特許文献１】特表２０１３−０６１７９２号公報
【発明の概要】
【発明が解決しようとする課題】
【０００４】
特に電子端末を利用するタイプの電子マネーを普及させるため、電子端末の操作をより簡易にし、より多くの人に受け入れられる様な工夫が求められている。
【０００５】
本発明は、電子マネーの送金操作を簡略化し得る技術を提供する。
【課題を解決するための手段】
【０００６】
本発明の一の態様は、電子マネーの送金プログラムであって、所定の財産価値に対応した電子マネーを表す送金対象アイコンを電子端末の表示部に表示するステップと、ユーザによる前記電子端末の操作部への少なくとも１回の入力操作のみにより、選択された送金対象アイコンの送金処理を行うステップと、をコンピュータに実行させる。
【０００７】
本発明の一の態様は、電子マネーの送金方法であって、所定の財産価値に対応した電子マネーを表す送金対象アイコンを電子端末の表示部に表示するステップと、ユーザによる前記電子端末の操作部への少なくとも１回の入力操作のみにより、選択された送金対象アイコンの送金処理を行うステップと、を備える。
【０００８】
本発明の一の態様は、電子マネーの送金処理を可能な電子端末であって、所定の財産価値に対応した電子マネーを表す送金対象アイコンを表示する表示部と、ユーザの操作入力を受け付ける操作部と、を備え、ユーザによる前記操作部への少なくとも１回の入力操作のみにより、選択された送金対象アイコンの送金処理が実行可能である。
【発明の効果】
【０００９】
本発明によれば、電子マネーの送金操作が簡略化され、電子マネーの取扱いの利便性が向上する。
【図面の簡単な説明】
【００１０】
【図１】本発明を適用する電子マネー処理システムのネットワーク構成図。
【図２】電子マネー処理システムにおけるサーバ及び電子端末の図であり、（ａ）はサーバのブロック図、（ｂ）は電子端末のブロック図
【図３】電子端末を用いた電子マネーの送金方法の処理手順を示すフロー図。
【図４】電子マネーのアプリケーション起動時における初期画面を表示する表示部の模式図。
【図５】図４において送金相手を指定した後に表示されるやりとり詳細画面を表示する表示部の模式図。
【図６】図３におけるステップＳ４の送金操作の詳細を示すフロー図。
【図７】図６において送金開始ボタンをタッチした際に表示される送金対象アイコンリストを表示する表示部の模式図。
【図８】図７において選択した送金対象アイコンを表示する表示部の模式図。
【図９】図８において送金対象アイコンを確定した後のやりとり詳細画面を表示する表示部の模式図。
【発明を実施するための形態】
【００１１】
以下、図面を用いて、本発明の具体的な実施の形態について詳述する。図１は、本発明が適用される電子マネー処理システムの一例を示す。
【００１２】
図１の電子マネー処理システム１００は、第１の電子端末（電子端末）１０と、第２の電子端末（電子端末）２０と、サーバ３０と、ネットワーク網４０とから構成されている。本実施形態の電子マネー処理システム１００は、通貨に相当する電子マネーを第１の電子端末１０と第２の電子端末２０との間で送受信する。
【００１３】
本実施形態の第１の電子端末１０、第２の電子端末２０はいわゆるスマートフォンであるが、電子マネーを取り扱うことができれば特にその種類は限定されない。第１の電子端末１０、第２の電子端末２０は無線通信によりネットワーク網４０に接続されているが、有線通信により接続されてもよい。特に実施形態の第１の電子端末１０、第２の電子端末２０には、電子マネーを取り扱うアプリケーションがインストールされており、電子マネーの送受信、支払い、チャージ等の操作が可能となっている。
【００１４】
サーバ３０はネットワーク網４０を介して第１の電子端末１０、第２の電子端末２０と接続可能である。サーバ３０は、第１の電子端末１０、第２の電子端末２０からの要求を受けて電子マネーの処理を行う。ネットワーク網４０は典型的にはインターネットであるが、ＬＡＮ等その種類は特に限定はされない。
【００１５】
図２は、第１の電子端末１０（第２の電子端末２０）とサーバ３０の構成を示す図であり、図２（ａ）はサーバ３０のブロック図、図２（ｂ）は第１の電子端末１０のブロック図を示している。図２（ａ）に示す通り、サーバ３０は、制御部３１と、受信部３３と、送信部３４と、ユーザデータベース３５とを備えている。制御部３１はサーバ３０全体の制御を司るコンピュータ処理装置であり、ＣＰＵ（Central Processing Unit）等のいわゆるプロセッサにより構成されている。受信部３３、送信部３４は、第１の電子端末１０、第２の電子端末２０等の外部の装置からネットワーク網４０を介してデータを送受信する部分であり、無線、有線等各種の通信方式に従って外部の装置とデータを送受信することができる。
【００１６】
ユーザデータベース３５は、 第１の電子端末１０、第２の電子端末２０等を用いて電子マネーを利用するユーザの情報を蓄積している。ユーザデータベース３５は、例えば各ユーザが銀行に保有する電子口座とＡＰＩ（Application Programming Interface）により連携しており、必要に応じて各ユーザの電子口座の残高情報にアクセスすることができる。また、ユーザデータベース３５は、電子マネーを取り扱うアプリケーションの財布、いわゆるウォレットも保有しており、各ユーザについて、銀行の電子口座からウォレットに移行されたウォレットの残高情報も保有している。ただし、電子口座を保有しないユーザも存在する。このようなユーザは、例えばウォレットに他のユーザから受領した分の電子マネーの残高情報を保有している。ユーザデータベース３５の詳細な仕様は特に限定されない。また、本実施形態ではユーザデータベース３５は、サーバ３０の内部に設けられているが、別のサーバに設け、サーバ３０とネットワーク網４０を介して通信するようにしてもよい。
【００１７】
図２（ｂ）に示す通り、第１の電子端末１０は、制御部１１と、メモリ１２と、受信部１３と、送信部１４と、表示部１５と、操作部１６とを備えている。第２の電子端末２０も図２（ｂ）と同様の構成を有する。制御部１１は第１の電子端末１０全体の制御を司るコンピュータ処理装置であり、ＣＰＵ等のいわゆるプロセッサにより構成されている。メモリ１２はＲＡＭ（Random Access Memory）、ＲＯＭ（Read Only Memory）等により構成され、制御部１１に読み込まれて実行される種々のプログラムやデータを記憶する。特に本実施形態のメモリ１２は、例えばユーザが前もって所定のウェブサイトにアクセスし、ダウンロードした電子マネー用のアプリケーションプログラムを記憶している。具体的には、アプリケーションプログラムはサーバ３０や他の外部の装置に記憶されており、ユーザの操作を受けた第１の電子端末１０からのダウンロード要求を受けて、サーバ３０や他の外部の装置が当該アプリケーションプログラムを第１の電子端末１０に送信し、メモリ１２に記憶される。
【００１８】
受信部１３、送信部１４は、第２の電子端末２０、サーバ３０等の外部の装置からネットワーク網４０を介してデータを送受信する部分であり、無線、有線等各種の通信方式に従って外部の装置とデータを送受信することができる。
【００１９】
表示部１５は、液晶表示装置、有機ＥＬ（electro-luminescence）等の静止画、動画を表示し得る画像表示装置から構成されているが、特にその種類は限定されない。操作部１６は、ユーザが操作入力を行い第１の電子端末１０を操作する入力デバイスであり、ボタン、マウス、操作スティック、タッチパッド、タッチパネル等、種々のデバイスが適用されるが、表示部１５に表示されたアイコン等の対象物の選択と確定を行い得るものが適用される。特に電子端末がスマートフォンの場合は、表示部１５に重畳して配置されたタッチパネルにより構成されるのが一般的である。
【００２０】
図３は、第１の電子端末１０（または第２の電子端末２０）を用いた電子マネーの送金方法の処理手順を示すフロー図である。本方法の各手順は、例えばメモリ１２に記憶された電子マネー用のアプリケーションプログラムの一部である電子マネーの送金プログラムを、コンピュータである制御部１１に実行させることによって行われる。まずユーザが操作部１６に表示された電子マネーのアプリケーションのアイコンをタッチする等して、すなわち操作部１６であるタッチパネルを操作してアプリケーションの起動を行う（ステップＳ１）。これにより図４に示すように、表示部１５はアプリケーション起動時における初期画面を表示する。初期画面には、相手方表示アイコン５０、処理選択部５１等が表示される。
【００２１】
相手方表示アイコン５０は、電子マネーの送受信を行う人物を表示する。このような人物は、例えば第１の電子端末１０のユーザが予め第１の電子端末１０のメモリ１２に登録する。例えば第１の電子端末１０のユーザは、電子マネーのアプリケーションをダウンロードし得るサイトへのリンクを友人に送信し、友人が招待を承認し、当該リンクからアプリケーションをダウンロードすることにより、当該友人が相手方としてメモリ１２に登録される。
【００２２】
処理選択部５１は、電子マネーの処理のカテゴリーを選択するための領域を表示する。本例では、「お金をおくる」、「お金をもらう」、「お店ではらう」の三つの選択肢が表示されている。本例は電子マネーの送金方法を説明するため、ユーザは最上部に表示された「お金をおくる」をタッチして選択する。すなわちユーザは、相手方表示アイコン５０のいずれかと処理選択部５１の選択肢を選することにより、選択した相手方にどのような電子マネーの処理を行うかを入力指示することができる。本例ではＡさんを送金先として電子マネーを送金する処理となる（ステップＳ２）。
【００２３】
Ａさんを選択すると、これまでのＡさんとの電子マネーのやりとりを示すやりとり詳細画面が表示される（ステップＳ３）。図５はこのようなやりとり詳細画面を表示した表示部１５の画面表示であり、財産価値を有した法定通貨である日本円の硬貨を模したデザインを有する操作履歴アイコン５２によって、やりとり詳細画面が表示される。本例では、例えば６月１３日に５０円が送金済であること、１円が送金中で受取期限が６月３０日であること、等のやりとりが示されている。ただし、やりとり詳細画面の表示は必須ではない。
【００２４】
次にユーザは、表示部１５を見ながら操作部１６であるタッチパネルを操作して送金操作を行う（ステップＳ４）。図６は、図３におけるステップＳ４の送金操作の詳細を示すフロー図である。
【００２５】
ユーザが図５の画面にも表示された送金開始部としての送金開始ボタン５３に指で触れると、表示部１５には送金する電子マネーの候補リストである送金対象アイコンリスト５４が表示される（ステップＳ４１）。図７はこの状態を示しており、送金対象アイコンリスト５４は複数の送金対象アイコン５５が並べられた状態で表示される。本実施形態では、送金対象アイコン５５は、５００円硬貨、１００円硬貨、５０円硬貨、１０円硬貨、５円硬貨、１円硬貨の各々であり、ユーザは法定通貨を模した送金対象アイコンにより、直感的に送金対象を把握することができる。
【００２６】
ユーザは、送金開始ボタン５３に指で触れたままの状態で表示部１５から指を離さず、表示部１５上で１００円硬貨の送金対象アイコン５５ａまで指をスライドさせ止めることにより、１００円硬貨の送金対象アイコン５５ａを選択することができる（ステップＳ４２）。図８は送金対象アイコン５５ａを選択した状態を示しており、１００円硬貨の送金対象アイコン５５ａが選択されていることを明確にするため、１００円硬貨のアイコン表示が拡大され、斜め向きの配置となっている。このように、ユーザは複雑な操作をすることなく、送金を希望する一つの送金対象アイコンを選択することができる。
【００２７】
ユーザが指を送金対象アイコン５５ａに載せた状態から指を表示部１５から離すことにより、送金対象アイコン５５ａを送金することを確定することができる（ステップＳ４３）。図９は送金対象アイコン５５ａの送金を確定した状態を示しており、１００円硬貨が送金対象として確定したことを明確にするため、新たな１００円硬貨の操作履歴アイコン５２ａが、元の操作履歴アイコン５２に追加されている。図６におけるステップＳ４１〜Ｓ４３において、ユーザは表示部１５に一度載せた指を表示部１５から離すことなく、１回の入力操作で送金処理を完了させることができる。
【００２８】
最後に、ステップＳ４３の終了と同時にＡさんへの送金処理が完了する（ステップＳ５）。
【００２９】
上述した通り、本実施形態の電子マネーの送金プログラムは、所定の財産価値に対応した電子マネーを表す送金対象アイコン５５を電子端末１０（２０）の表示部１５に表示するステップと、ユーザによる電子端末１０（２０）の操作部１６への少なくとも１回の入力操作のみにより、選択された送金対象アイコン５５ａの送金処理を行うステップと、をコンピュータに実行させるプログラムである。
【００３０】
これにより、電子端末による電子マネーの送金操作が簡略化され、多くの人にとって電子マネーが扱いやすいものとなり、電子マネーが更にメジャーなものとなることが期待される。
【００３１】
具体的に本プログラムは、ユーザによる操作部１６への少なくとも１回の入力操作のみにより、送金対象アイコン５５の表示部１５における表示と、送金対象アイコン５５の選択と、選択された送金対象アイコン５５ａの送金処理と、をコンピュータに実行させる。これにより、電子マネーの送金操作を視覚的に把握しやすくするとともに操作を簡略化することができる。
【００３２】
また、送金対象アイコン５５が法定通貨を模したデザインを有する場合、ユーザは現金を扱う感覚に近い感覚で電子マネーを扱うことができ、多くの人にとって電子マネーが親しみやすいものとなる。投げ銭の感覚も向上する。
【００３３】
典型的には、操作部１６が表示部１５に重畳して配置されたタッチパネルである。この場合、表示部１５に表示された送金開始ボタン（送金開始部）５３をユーザが指でタッチすることにより、複数の送金対象アイコン５５を表示部１５に表示するステップと、タッチした指を表示部１５から離さず一の送金対象アイコン５５までスライドすることにより当該送金対象アイコン５５を選択するステップと、選択された送金対象アイコン５５ａから指を離すことにより、当該送金対象アイコン５５ａを送金処理するステップと、をコンピュータに実行させる。すなわち、指で操作するというタッチパネルの特性を十分生かすことにより、電子マネーの送金操作を省力化することができる。
【００３４】
また、本実施形態は電子マネーの送金方法をも提供するものであり、所定の財産価値に対応した電子マネーを表す送金対象アイコン５５を電子端末１０（２０）の表示部１５に表示するステップと、ユーザによる電子端末１０（２０）の操作部１６への少なくとも１回の入力操作のみにより、選択された送金対象アイコン５５の送金処理を行うステップと、を備える。これにより、電子端末による電子マネーの送金操作が簡略化され、多くの人にとって電子マネーが扱いやすいものとなり、電子マネーが更にメジャーなものとなることが期待される。
【００３５】
また、本実施形態の第１の電子端末１０（または第２の電子端末２０）は、電子マネーの各種処理が可能であるが、特に送金処理を省力化するものである。表示部１５は、所定の財産価値に対応した電子マネーを表す送金対象アイコン５５を表示し、ユーザは操作部１６により操作をすることができる。そして、表示部１５上で選択された送金対象アイコン５５ａの送金処理は、ユーザによる操作部１６への少なくとも１回の入力操作のみにより実行可能となっている。「１回の入力操作」は、操作部１６に一度人体の一部で触れてから、その後、操作部１６から人体の一部を離すまでの操作区間をいい、本実施形態の様に操作部１６がタッチパネルの場合は、指を表示部に置いてから離すまでの操作区間である。
【００３６】
これにより、電子端末による電子マネーの送金操作が簡略化され、多くの人にとって電子マネーが扱いやすいものとなり、電子マネーが更にメジャーなものとなることが期待される。
【００３７】
具体的には、少なくとも１回の入力操作のみにより、送金対象アイコン５５の表示部１５における表示と、送金対象アイコン５５ａの選択と、選択された送金対象アイコン５５ａの送金処理とが実行可能となっており、電子マネーの送金操作を視覚的に把握しやすくするとともに操作を簡略化することができる。
【００３８】
また、送金対象アイコン５５が法定通貨を模したデザインを有する場合、ユーザは現金を扱う感覚に近い感覚で電子マネーを扱うことができ、多くの人にとって電子マネーが親しみやすいものとなる。投げ銭の感覚も向上する。
【００３９】
典型的には、操作部１６が表示部１５に重畳して配置されたタッチパネルである。この場合、表示部１６に表示された送金開始ボタン５３をユーザが指でタッチすることにより、複数の送金対象アイコン５５が表示部１５に表示され、タッチした指を表示部１５から離さず一の送金対象アイコン５５までスライドすることにより送金対象アイコン５５ａが選択され、選択された送金対象アイコン５５ａから指を離すことにより、送金対象アイコン５５ａが送金処理される。すなわち、指で操作するというタッチパネルの特性を十分生かすことにより、電子マネーの送金操作を省力化することができる。
【００４０】
なお、上述した実施形態では、アプリケーションのウォレットはサーバ３０に保有されていると説明したが、アプリケーションのウォレットは各電子端末が例えばメモリ１２に保有してもよい。また、上述した実施形態では、送金先となる友人のような相手方の情報はメモリ１２に登録すると説明したが、サーバ３０等の外部の装置に記憶しておき、アプリケーションの起動の度に読み出すようにしてもよい。また、送金先は個人である必要はなく、店舗、金融機関、各種法人等、任意である。
【００４１】
また、本実施形態では操作履歴アイコン５２、送金対象アイコンリスト５４、送金対象アイコン５５は、法定通貨である日本円の硬貨を模したデザインを有するが、日本円紙幣を模したデザインを有してもよく、日本円のみならずドル、ユーロ、人民元等のような他の法定通貨の硬貨、紙幣を模したデザインを有してもよい。また、操作履歴アイコン５２、送金対象アイコンリスト５４、送金対象アイコン５５は何らかの経済的価値、すなわち所定の財産価値を表すものであればその役割を果たすことができ、例えば財産価値を有する有価証券、トークン、暗号資産等を模したデザインを採用してもよい。
【００４２】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【符号の説明】
【００４３】
１０    第１の電子端末（電子端末）
１１    制御部
１２    メモリ
１３    受信部
１４    送信部
１５    表示部
１６    操作部
２０    第２の電子端末（電子端末）
３０    サーバ
３１    制御部
３３    受信部
３４    送信部
３５    ユーザデータベース
４０    ネットワーク網
５０    相手方表示アイコン
５１    処理選択部
５２    操作履歴アイコン
５３    送金開始ボタン（送金開始部）
５４    送金対象アイコンリスト
５５    送金対象アイコン
１００  電子マネー処理システム
【要約】
【課題】電子マネーの送金操作を簡略化し、電子マネーの取扱いの利便性を向上させる。
【解決手段】電子マネーの送金プログラムは、所定の財産価値に対応した電子マネーを表す送金対象アイコン５５を電子端末１０（２０）の表示部１５に表示するステップと、ユーザによる電子端末１０（２０）の操作部１６への少なくとも１回の入力操作のみにより、選択された送金対象アイコン５５ａの送金処理を行うステップと、をコンピュータに実行させるプログラムである。
【選択図】図６【図１】
0006654730.tif 000002
【図２】
0006654730.tif 000003
【図３】
0006654730.tif 000004
【図４】
0006654730.tif 000005
【図５】
0006654730.tif 000006
【図６】
0006654730.tif 000007
【図７】
0006654730.tif 000008
【図８】
0006654730.tif 000009
【図９】
0006654730.tif 000010